(57)【特許請求の範囲】
【請求項１】
累積表示を行う累積表示回数はＭ回とし、
周波数軸上における画面表示の区分数はＮとし、
周波数掃引して取得する周波数ポイント数は前記画面表示区分数と同じＮ区分に分割した周波数ポイント数Ｎとしたときに、
被測定信号を受けて、周波数掃引してＮポイントのスペクトラムデータを少なくとも１回取得して更新し、
取得されたＭ回分のスペクトラムデータを受けて、スペクトラム波形を表示画面へ累積表示するスペクトラム表示装置において、
当該複数Ｍ回のスペクトラムデータを受けて、各周波数ポイント毎のＭ個のデータにおいて当該周波数ポイントの最大値及び最小値を検出し、検出したＮ個の最大値／最小値データを保持最大値／保持最小値として保存する最大値／最小値算出手段と、
当該複数Ｍ回のスペクトラムデータと、該最大値／最小値算出手段で検出したＮ個の保持最大値／保持最小値とによる画面表示において、保持最大値／保持最小値に対しては強調表示形態で画面表示する強調表示手段と、
を具備していることを特徴とするスペクトラム表示装置。
【請求項２】
請求項１に記載のスペクトラム表示装置であって、
前記最大値／最小値算出手段は、
前回に保存したＮ個の保持最大値／保持最小値と今回測定した各周波数ポイント毎のＭ個のデータとの両方のデータを対象として当該周波数ポイントの最大値及び最小値を検出し、検出したＮ個の最大値／最小値データをＮ個の周波数ポイントにおける各々の保持最大値／保持最小値として更新保存する、
ことを特徴とするスペクトラム表示装置。
【請求項３】
請求項１または２に記載のスペクトラム表示装置であって、
前記強調表示手段は、強調表示する１箇所若しくは複数箇所の周波数ポイント又は指定周波数区間を指定する強調表示指定の設定入力を受けて、当該強調表示指定の周波数ポイントに対応する保持最大値／保持最小値に対してのみ強調表示形態で画面表示することを特徴とするスペクトラム表示装置。
【請求項４】
累積表示を行う累積表示回数はＭ回とし、
周波数軸上における画面表示の区分数はＮとし、
周波数掃引して取得する周波数ポイント数は前記画面表示区分数と同じＮ区分に分割した周波数ポイント数Ｎとしたときに、
被測定信号を受けて、周波数掃引してＮポイントのスペクトラムデータを少なくとも１回取得して更新し、
取得されたＭ回分のスペクトラムデータを受けて、スペクトラム波形を表示画面へ累積表示するスペクトラム表示装置において、
最大値／最小値の数値表示をする少なくとも１箇所の目的とする周波数ポイントを指定する数値表示指定の設定入力を受けて、当該周波数ポイントに対応する複数Ｍ回のスペクトラムデータを受けて、当該指定周波数ポイントのＭ個のデータの最大値及び最小値を検出し、検出した最大値／最小値データを保持最大値／保持最小値として保存する最大値／最小値算出手段と、
表示画面上における目的とする当該周波数ポイントに対してその周波数ポイントにおける最大値と最小値の数値データを画面に表示する最大値／最小値の数値表示手段と、
を具備していることを特徴とするスペクトラム表示装置。
【請求項５】
請求項４に記載のスペクトラム表示装置であって、
前記最大値／最小値算出手段は、
当該指定周波数ポイントのＭ個のデータと前回に保存した当該周波数ポイントの保持最大値／保持最小値との両方のデータを対象として最大値及び最小値を検出し、検出した最大値／最小値データを当該周波数ポイントにおける保持最大値／保持最小値として更新保存する、
ことを特徴とするスペクトラム表示装置。
【請求項６】
請求項４または５に記載のスペクトラム表示装置であって、
前記最大値／最小値の数値表示手段は、さらに、最大値と最小値との差分値の数値データも併せて画面に表示する、
ことを特徴とするスペクトラム表示装置。
【請求項７】
請求項１ないし３のいずれか一項に記載のスペクトラム表示装置であって、
前記強調表示手段は、
前記最大値／最小値およびそれ以外の値をドットにより表示し、
前記最大値／最小値の表示に使用されるドットの色と、前記それ以外の値の表示に使用されるドットの色とが異なる、
ことを特徴とするスペクトラム表示装置。
【請求項８】
請求項１ないし３のいずれか一項に記載のスペクトラム表示装置であって、
前記強調表示手段は、
前記最大値／最小値およびそれ以外の値をドットにより表示し、
前記最大値／最小値の表示に使用されるドットの輝度が、前記それ以外の値の表示に使用されるドットの色の輝度よりも高い、
ことを特徴とするスペクトラム表示装置。
【請求項９】
請求項１ないし３のいずれか一項に記載のスペクトラム表示装置であって、
前記強調表示手段は、
前記最大値／最小値およびそれ以外の値をドットにより表示し、
前記最大値／最小値の表示に使用されるドットが、前記それ以外の値の表示に使用されるドットよりも大きい、
ことを特徴とするスペクトラム表示装置。
【請求項１０】
請求項１ないし３のいずれか一項に記載のスペクトラム表示装置であって、
前記強調表示手段は、
前記最大値／最小値をドットにより表示し、
前記最大値／最小値以外の値を表示しない、
ことを特徴とするスペクトラム表示装置。
【発明の詳細な説明】
【０００１】
【発明の属する技術分野】
この発明は、周波数掃引して得た複数回の測定データを累積表示するスペクトラムアナライザに関する。特に累積表示における各周波数ポイントでの最大値／最小値の表示形態に関する。
【０００２】
【従来の技術】
先ず、従来の累積表示をするスペクトラムアナライザの要部構成を説明する。要部構成は、図４（ａ）に示すように、掃引測定部３０と、波形データ格納部４０と、表示データ変換部５０と、表示データ格納メモリ６０と、表示装置１００とで成る。ここで、累積表示する累積回数はＭとし、周波数スパンの周波数軸を対数表現とし、周波数スパン区分は周波数軸上における画面表示区分数と同じＮ区分に分割して各周波数ポイントのデータを取得する場合、と仮定して以下に説明する。
【０００３】
掃引測定部３０は、一般的なスペクトラムアナライザのスペクトラム測定部であって、一掃引毎にＮワードの掃引測定データ３０ｓを出力する。即ち、未知の被測定信号Ｓiを受けて、設定された周波数スパン区間であるスタート周波数からストップ周波数区間を周波数掃引して中間周波数に変換し、所定帯域幅で帯域フィルタし、フィルタした信号を対数検波し、これをデジタルデータに量子化変換し、連続的に変換されたＮワードの掃引測定データ３０ｓは波形データ格納部４０へ供給する。前記の一回の掃引時間は測定条件の設定や機種によっても異なるが、例えば１ミリ秒未満の高速な掃引時間で行われる。また、一回の掃引測定終了の都度、掃引終了信号３０ｅを出力する。
【０００４】
波形データ格納部４０は、少なくともＮワード以上若しくはＭ×Ｎワード以上のメモリ容量を備えるリング・バッファメモリで実現できる。これは上記掃引測定データ３０ｓを受けて、リング・バッファとなるように過去の不要なデータを上書きしながら更新格納する。また、表示データ変換部５０へは、格納したデータの読み出し出力が行われる。尚、アベレージング・モードが設定されている場合は加算手段と除算手段とを備え、アベレージング設定回数に対応した回数の掃引測定データ３０ｓを累積加算し、その後、累積加算したデータをアベレージング設定回数で除した平均値データをリング・バッファへ格納する。
【０００５】
表示データ変換部５０は、測定データを画面表示の設定条件に対応した表示用データに変換して出力するものである。即ち、本願に係る動作としては、掃引終了信号３０ｅを受けて、上記波形データ格納部４０で更新格納された１回分のＮワードの掃引格納データ４０ｓを読み出し、画面縦軸のデシベル表示に対応するようにコードデータ値の伸縮及びオフセット付与する変換処理をし、変換したＮポイントのドット位置表示用のドット表示データ５０ｓを表示データ格納メモリ６０へ供給する。尚、複数回分の掃引格納データ４０ｓを読み出して変換処理する形態もある。
【０００６】
表示データ格納メモリ６０は、一例としてはグラフィック表示用ＬＳＩ（グラフィックコントローラ）とＶＲＡＭとで実現されていて、ＶＲＡＭが画面表示のリフレッシュ用メモリである。本願に係る動作としては、グラフィックコントローラが上記一掃引単位のドット表示データ５０ｓを受けて、例えば所定のカラー表示属性、あるいは所定の輝度表示属性を付与した画面表示情報に変換してＶＲＡＭの表示画面の横軸と縦軸に対応するアドレス位置へ順次格納する。
ＶＲＡＭの内容はグラフィックコントローラにより色情報や輝度情報等の表示属性に対応するデジタル若しくはアナログのビデオ信号６０ｓに変換されて表示装置１００へ供給される。尚、前記の他に、横軸／縦軸の目盛り表示、各種数値表示、メニュー画面の表示、マーカー表示、その他の表示情報の処理も行われるが、これら説明については省略する。
前記により更新されたデータ内容と他のデータとは、
【０００７】
表示装置１００は、ＣＲＴ若しくは液晶等によるカラー若しくは白黒表示装置であって、上記表示データ格納メモリ６０からのビデオ信号に基づいて所定に画面表示される。画面の表示の一形態は、図４（ｂ）に示すように、ドット表示で累積表示する表示形態がある。この図では、周波数軸のドット数はＮ＝８５ドットで簡略表現し、累積回数Ｍ＝８回とした簡略表現としている。実際の表示は前記の数倍〜数十倍のドットで表示される。尚、当然ながら時々刻々に表示が更新される為、ほとんどの表示ドットは動いている。例えば一掃引時間が高速の１ミリ秒と仮定すると、３２ミリ秒で全ての表示ドットが更新される。このようなドット表示による累積表示形態によって、スペクトラムレベルの分布状況や動的変化が比較的容易に把握できる。
【０００８】
ところで、測定するアプリケーションによってはスペクトラムレベルの経時的変化と共にスペクトラムレベルの最大値や最小値の変化に着目して観測したい場合がある。例えば移動局の伝搬干渉等に伴う信号強度の急激な変化や、送信装置の間欠的不具合の解析や、ＡＭ変調、ＦＭ変調、直交振幅変調等の変調条件を変えての過渡的な変調指数状況の観測や、所定周波数ポイントにおける信号強度の最大値や最小値が許容範囲にあるかの解析、その他の観測がある。
このような場合、時々刻々に変化する表示ドットを目視観測して最大値や最小値を特定判断することは容易ではない。例えば図４Ａに示すように、最大値や最小値の包絡線（エンベロープ）から離散した表示ドットが一瞬発生するような場合、これを凝視していないと見過ごしてしまう。更に、図４Ｂのように、最小値のエンベロープの上側に一瞬発生する場合は周辺の表示ドットにより埋もれた状態にある為、これらを当該周波数ポイントの最小値としては認識できない。これらの例から判るように、最大値や最小値を的確に観測したい場合においては実用上の難点がある。
尚、上述不具合はネットワークアナライザによる累積表示する場合においても同様である。
【０００９】
【発明が解決しようとする課題】
上述説明したように従来技術においては、累積表示形態における最大値や最小値を観測したい場合において、時々刻々に変化する累積表示の最大値や最小値を目視特定することは容易ではない。また常に凝視観測している必要性もある。これらの点において従来技術においては観測上の利便性が悪く、この点において実用上の難点がある。
そこで、本発明が解決しようとする課題は、累積表示形態を備えるスペクトラムアナライザにおいて、累積表示における最大値や最小値を容易に目視可能な表示形態を備えるスペクトラムアナライザを提供することである。
【００１０】
【課題を解決するための手段】
第１図と第２図は、本発明に係る解決手段を示している。
第１に、上記課題を解決するために、本発明の構成では、累積表示を行う累積表示回数はＭ回とし、周波数軸上における画面表示の区分数はＮとし、周波数掃引して取得する周波数ポイント数は前記画面表示区分数と同じＮ区分に分割した周波数ポイント数Ｎとしたときに、被測定信号Ｓｉを受けて、周波数掃引してＮポイントのスペクトラムデータを少なくとも１回取得して更新し、取得されたＭ回分のスペクトラムデータ（例えばＭ回分の掃引測定データ３０ｓ）を受けて、スペクトラム波形を表示画面へ累積表示するスペクトラムアナライザにおいて、当該複数Ｍ回のスペクトラムデータ（Ｍ回分の掃引測定データ３０ｓ）を受けて、第１に、各周波数ポイント毎のＭ個のデータにおいて当該周波数ポイントの最大値及び最小値を検出し、検出したＮ個の最大値／最小値データを保持最大値／保持最小値として保存、あるいは第２に、前回に保存したＮ個の保持最大値／保持最小値と今回測定した各周波数ポイント毎のＭ個のデータとの両方のデータを対象として当該周波数ポイントの最大値及び最小値を検出し、検出したＮ個の最大値／最小値データをＮ個の周波数ポイントにおける各々の保持最大値／保持最小値として更新保存、とする最大値／最小値算出手段を具備し、当該複数Ｍ回のスペクトラムデータ（Ｍ×Ｎ個のデータ）と、前記最大値／最小値算出手段で検出したＮ個の保持最大値／保持最小値とによる画面表示において、保持最大値／保持最小値に対しては一目瞭然となる強調表示形態で画面表示する強調表示手段を具備することを特徴とするスペクトラムアナライザである。
上記発明によれば、累積表示形態を備えるスペクトラムアナライザにおいて、時々刻々に変化する累積表示における最大値や最小値を容易に目視可能な表示形態を備えるスペクトラムアナライザが実現できる。
【００１１】
第５図は、本発明に係る解決手段を示している。
また、強調表示する１箇所若しくは複数箇所の周波数ポイント又は指定周波数区間を指定する強調表示指定の設定入力を受けて、当該強調表示指定の周波数ポイントに対応する保持最大値／保持最小値に対してのみ一目瞭然となる強調表示形態で画面表示する強調表示手段とすることを特徴とする上述スペクトラムアナライザがある。
【００１２】
第３図は、本発明に係る解決手段を示している。
第２に、上記課題を解決するために、本発明の構成では、累積表示を行う累積表示回数はＭ回とし、周波数軸上における画面表示の区分数はＮとし、周波数掃引して取得する周波数ポイント数は前記画面表示区分数と同じＮ区分に分割した周波数ポイント数Ｎとしたときに、被測定信号Ｓｉを受けて、周波数掃引してＮポイントのスペクトラムデータを少なくとも１回取得して更新し、取得されたＭ回分のスペクトラムデータ（例えばＭ回分の掃引測定データ３０ｓ）を受けて、スペクトラム波形を表示画面へ累積表示するスペクトラムアナライザにおいて、最大値／最小値の数値表示をする少なくとも１箇所の目的とする周波数ポイントを指定（例えばマーカーで指定）する数値表示指定の設定入力を受けて、当該周波数ポイントに対応する複数Ｍ回のスペクトラムデータを受けて、第１に、当該指定周波数ポイントのＭ個のデータの最大値及び最小値を検出し、検出した最大値／最小値データを保持最大値／保持最小値として保存、あるいは第２に、当該指定周波数ポイントのＭ個のデータと前回に保存した当該周波数ポイントの保持最大値／保持最小値との両方のデータを対象として最大値及び最小値を検出し、検出した最大値／最小値データを当該周波数ポイントにおける保持最大値／保持最小値として更新保存、とする最大値／最小値算出手段を具備し、表示画面上における目的とする当該周波数ポイントに対してその周波数ポイントにおける最大値と最小値の数値データを画面に表示、あるいは前記最大値と最小値の数値データと共に最大値と最小値との差分値の数値データをも併せて画面に表示する最大値／最小値の数値表示手段を具備することを特徴とするスペクトラムアナライザがある。
【００１３】
第３に、上記課題を解決するために、本発明の構成では、上述最大値／最小値の強調表示手段を具備し、上述最大値／最小値の数値表示手段を具備することを特徴とするスペクトラムアナライザがある。
【００１４】
また、強調表示手段の表示形態の一態様としては、表示画面への累積表示形態がドット表示形態としたとき、最大値／最小値の表示は他のドット表示形態（例えば黄色ドット表示）とは異なる色の表示形態（例えば赤色ドット表示形態）若しくは異なる高輝度の表示形態（例えば高輝度ドット表示形態）で表示することを特徴とする上述スペクトラムアナライザがある。
【００１５】
また、強調表示手段の表示形態の一態様としては、表示画面への累積表示形態がドット表示形態としたとき、最大値／最小値の表示は他のドット表示サイズより大きなドットサイズ（例えば４倍以上の大きさのドットサイズ）で表示することを特徴とする上述スペクトラムアナライザがある。
【００１６】
また、強調表示手段の表示形態の一態様としては、表示画面への累積表示形態がドット表示形態としたとき、最大値／最小値の表示は所定輝度のドット表示形態とし、他のドット表示形態は低輝度若しくは無表示とすることを特徴とする上述スペクトラムアナライザがある。
【００１７】
また、最大値／最小値算出手段において保持する保持最大値／保持最小値の一態様としては、第１に、使用者のリセットキー入力を受けたときに、以前までの保持最大値／保持最小値をリセットするキーリセット形態、あるいは第２に、所定経時毎（例えば１分毎）に以前までの保持最大値／保持最小値をリセットする定時リセット形態、あるいは第３に、所定複数Ｍ回のスペクトラムデータの当該画面上の表示データに対する最大値レベルと、最小値レベルを保持最大値／保持最小値として更新する、ことを特徴とする上述スペクトラムアナライザがある。
【００１８】
【発明の実施の形態】
以下に本発明の実施の形態を実施例と共に図面を参照して詳細に説明する。
【００１９】
本発明について、図１の最大値／最小値に対する強調表示機能を備えるスペクトラムアナライザの要部構成図と、図２の最大値／最小値を強調ドット表示する画面例と、図３のマーカー周波数ポイントにおける最大値／最小値を強調ドット表示する画面例、及び当該最大値／最小値の数値表示する画面例と、図５の他の最大値／最小値を強調ドット表示する画面例、とを参照して以下に説明する。尚、従来構成に対応する要素は同一符号を付す。また、これらの図においても従来同様に、周波数軸のドット数はＮ＝８５ドットで簡略表現し、累積回数Ｍ＝８回とした簡略表現である。
【００２０】
本願に係る要部構成は、図１に示すように、掃引測定部３０と、波形データ格納部４０と、表示データ変換部５０と、表示データ格納メモリ６０と、表示装置１００と、最大値最小値演算部７０と、最大値データメモリ８２と、最小値データメモリ８４とで成る。この構成で、掃引測定部３０と波形データ格納部４０と表示装置１００とは、従来と同一であるからして説明を要しない。尚、ここでも、累積表示する累積回数はＭとし、周波数スパン区分はＮ区分に分割した場合と仮定して以下に説明する。
【００２１】
一方の最大値データメモリ８２は、Ｎ点の周波数ポイントに対応してＮワードの最大値を保存格納するメモリであり、他方の最小値データメモリ８４も、Ｎワードの最小値を保存格納するメモリである。このメモリへ保存格納されたものを各々保持最大値、保持最小値と称することにする。
また、上記最大値データメモリ８２と最小値データメモリ８４とに格納されている保持最大値、保持最小値の第１のリセット形態は、使用者のリセットキー入力を受けたときに、以前までの保持最大値／保持最小値をリセットするキーリセット形態がある。第２のリセット形態は、所定経時毎、例えば１０秒毎、１分毎、３０分毎、に以前までの保持最大値／保持最小値をリセットする定時リセット形態がある。
【００２２】
最大値最小値演算部７０の第１の演算方法は、波形データ格納部４０からの新たに測定更新された１回分を含むＭ回分の掃引格納データ４０ｓを受けて、各周波数ポイント毎に最大値／最小値データを求めて保存する。即ち、１つの周波数ポイントにおけるＭ個のデータに対して当該周波数ポイントの最大値及び最小値を検出し、検出した最大値を上記最大値データメモリ８２へ保存格納し、検出した最小値データを上記最大値データメモリ８２へ保存格納する。
最大値最小値演算部７０の第２の演算方法は、新たに測定更新された１回分を含むＭ回分の掃引格納データ４０ｓと保持最大値／保持最小値とを受けて、各周波数ポイント毎に最大値／最小値データを求めて保存する。即ち、前回の保持最大値／保持最小値と今回測定した各周波数ポイント毎のＭ個のデータとの両方のデータを対象として最大値及び最小値を検出し、検出した最大値を上記最大値データメモリ８２へ更新保存し、検出した最小値データを上記最小値データメモリ８４へ更新保存する。
尚、上記では１回の測定更新の都度に最大値／最小値を演算実施する場合であったが、所望により、画面表示の目視性を考慮して、所望の複数回分（２〜Ｍ回）の測定更新の都度に、上記第１の演算方法、あるいは上記第２の演算方法を実施するようにしても良い。
【００２３】
表示データ変換部５０に追加する本発明部分は、保持最大値／保持最小値を画面表示の設定条件に対応した表示用データに変換して出力する演算処理を追加して備える。即ち、上記最大値データメモリ８２からのＮ点の保持最大値と上記最小値データメモリ８４からのＮ点の保持最小値とを受けて、従来の変換処理と同様に、画面縦軸のデシベル表示に対応するようにコードデータ値の伸縮及びオフセット付与する変換処理をし、変換した２×Ｎポイントの最大値／最小値のドット表示データ５０ｍを表示データ格納メモリ６０へ供給する。
【００２４】
表示データ格納メモリ６０に追加する本発明部分は、最大値／最小値のドット表示データ５０ｍを強調表示形態にすることである。
第１の強調表示形態としては、図２（ｂ）に示すように、最大値／最小値の表示は他の累積表示のドット表示形態とは異なる色、異なる高輝度、又は異なる大きなドットサイズで表示される表示属性を付与する。図２（ｂ）では異なる色、異なる高輝度で図示できないので大きなドットサイズの例で図示している。
ある一瞬における同一測定データによる従来の表示形態を図２（ａ）に、また本発明の表示形態を図２（ｂ）に示す。両者の画面表示の対比から明らかに判るように、従来では図２Ａに示すように３カ所で離散した表示ドットや、図２Ｂに示すように隣接する表示ドットの中に埋もれた状態にあったりして認識困難であったものが本発明では図２Ｃ、Ｄに示すように最大値／最小値が一目瞭然に認識できるという大きな利点が得られている。また最大値／最小値のエンベロープも容易に認識できる。
【００２５】
第２の強調表示形態としては、図５に示すように、特定周波数ポイントの最大値／最小値を強調表示する例である。即ち、強調表示する１箇所若しくは複数箇所の周波数ポイント（図５Ｄ参照）、又は指定周波数区間（図５Ｇ参照）を、予めマーカーや数値キー入力等で設定入力しておき、当該強調表示指定の周波数ポイントに対して一目瞭然となる強調表示形態（図５Ｂ，Ｃ，Ｅ，Ｆ参照）で画面表示する。この場合は認識目的とする周波数のみが一目瞭然に強調表示される為、利用形態によっては一層利便性が向上する。
また、所望により、上述第１、第２の強調表示形態において、最大値／最小値の表示は所定輝度若しくは色のドット表示形態とし、他の累積表示データのドット表示形態は無表示若しくは低輝度の表示形態としても良い。
【００２６】
次に、強調表示形態の他に、最大値／最小値を数値表示する手段について、図３を参照して説明する。
この場合の最大値最小値演算部７０に追加する本発明部分は、数値表示する周波数ポイント（図３Ｄ参照）を、予めマーカーや数値キー入力等で設定入力をしておく。その後、前記設定情報を受け、第１に波形データ格納部４０からの対応する周波数ポイントの掃引格納データ４０ｓを受け、あるいは第２に前記の周波数ポイントの掃引格納データ４０ｓと以前に検出して最大値データメモリ８２と最小値データメモリ８４へ格納した保持最大値／保持最小値とを受けて、これらのデータの中から最大値／最小値を各々検出し、検出した一点の最大値／最小値を最大値データメモリ８２と最小値データメモリ８４へ保存格納する。
【００２７】
また表示データ変換部５０に追加する本発明部分は、前記の最大値／最小値の数値データを最大値データメモリ８２と最小値データメモリ８４から読み出して、デシベル単位の数値データに変換し、変換した最大値と最小値のデシベル数値データ（図３Ｅ，Ｆ参照）、あるいは前記最大値と最小値のデシベル数値データと共に最大値と最小値との差分値の数値データ（図３Ｇ参照）を含む数値データを数値表示形態に変換して表示データ格納メモリ６０の所定領域へ格納する。
また、上記最大値データメモリ８２と最小値データメモリ８４とに格納されている保持最大値、保持最小値のリセットは、上述した第１のリセット形態、第２のリセット形態で行う。
【００２８】
更に、上記数値データ表現での画面表示と共に、上述した強調表示形態で当該周波数ポイントを強調表示（図３Ｂ，Ｃ参照）する手段を併用して同時に画面表示しても良い。また、所望により、複数周波数ポイントを指定し、その複数周波数ポイントに対して、上記した最大値／最小値の数値表示をしても良い。
【００２９】
上記発明によれば、最大値／最小値を数値表示する手段を備えることにより、指定された注目周波数の最大値と最小値、あるいは最大値と最小値との差分値を数値で表示できる結果、注目すべき周波数ポイントの最大値と最小値や差分値を的確に数値表示で認識できる利点が得られる。
【００３０】
【発明の効果】
本発明は、上述の説明内容から、下記に記載される効果を奏する。
上述説明したように本発明によれば、累積表示形態で画面表示する場合において、その最大値／最小値を他の表示形態とは異なる的確に認識できる表示形態で表示する手段を具備する構成としたことにより、例えば、従来では図２Ａに示すように３カ所で離散した表示ドットや、図２Ｂに示すように隣接する表示ドットの中に埋もれた状態にあっても、本発明では図２Ｃ、Ｄに示すように最大値／最小値が一目瞭然に認識できるという特筆した利点が得られている。特に、多くの表示ドットが動いている場合や、離散した最大値や最小値が一瞬発生して消える場合においては極めて有効である。
また、最大値／最小値を数値表示する手段を備える本発明の場合には、図３に示すように、指定された注目周波数の最大値と最小値、あるいは最大値と最小値との差分値を数値で表示できる結果、注目すべき周波数ポイントの最大値と最小値や差分値を的確に認識できる利点が得られる。
従って本発明のスペクトラムアナライザの累積表示形態は極めて利便性が良く、これからして本発明の技術的効果は大であり、産業上の経済効果も大である。
【図面の簡単な説明】
【図１】本発明の、最大値／最小値に対する強調表示機能を備えるスペクトラムアナライザの要部構成図。
【図２】（ａ）は従来のドット表示する画面例と、（ｂ）は本発明の最大値／最小値を強調ドット表示する画面例。
【図３】マーカー周波数ポイントにおいて、最大値／最小値を強調ドット表示する例と、当該最大値／最小値を数値表示する画面例。
【図４】（ａ）は従来の累積表示機能を備えるスペクトラムアナライザの要部構成図と、（ｂ）はドット表示形態による従来の累積表示の画面例。
【図５】本発明の、他の最大値／最小値を強調ドット表示する画面例。
【符号の説明】
３０      掃引測定部
４０      波形データ格納部
５０      表示データ変換部
６０      表示データ格納メモリ
７０      最大値最小値演算部
８２      最大値データメモリ
８４      最小値データメモリ
１００    表示装置
【図１】
0004060982.tif 000002
【図２】
0004060982.tif 000003
【図３】
0004060982.tif 000004
【図４】
0004060982.tif 000005
【図５】
0004060982.tif 000006